(57)【特許請求の範囲】
【請求項１】
無線通信用の電子機器であって、
伝送待ちのデータの通信品質要求情報と予め定められた低通信品質要求のパラメータとの対応関係によって伝送待ちの通信トラフィックのうちから特定される低優先度業務であって、アップリンク伝送に利用可能な低優先度業務のデータステータスを特定し、
前記低優先度業務のデータステータスに基づいて、ユーザ機器の免許不要の伝送リソースでの伝送に関する、基地局のスケジューラ用のスケジューリング補助情報を生成するように配置される、一つ或いは複数のプロセッサを含み、
前記スケジューリング補助情報にはバッファーステータスレポートを含み、前記一つ或いは複数のプロセッサは、バッファーにおけるアップリンク伝送に利用可能な低優先度業務のデータ量を特定し、前記低優先度業務のデータ量の指示情報を前記バッファーステータスレポートに含ませて、前記基地局のスケジューラのために用いられるように配置され、
前記指示情報は、前記低優先度業務に関するバッファーサイズの情報だけを含み、高優先度の業務に関するバッファーサイズの情報を含まない電子機器。
【請求項２】
前記一つ或いは複数のプロセッサは、更に、前記低優先度業務が属する、専用業務チャネルを含む論理チャネル及び／又は論理チャネル群の識別情報を前記バッファーステータスレポートに含ませるように配置される請求項１に記載の電子機器。
【請求項３】
前記一つ或いは複数のプロセッサは、更に、前記低優先度業務に関するバッファーステータスレポートを媒体アクセス制御ＭＡＣ制御要素に含ませて、当該ＭＡＣ制御要素に対応するＭＡＣプロトコルデータ手段サブヘッダを生成するように配置され、当該サブヘッダには、前記ＭＡＣ制御要素が低優先度業務に関するバッファーステータスレポートであることを指示するタイプ情報を含む請求項１又は２に記載の電子機器。
【請求項４】
前記一つ或いは複数のプロセッサは、さらに、前記基地局のスケジューラのスケジューリング割当て情報に基づいて、前記低優先度業務のデータを、対応する免許不要の伝送リソースにマッピングすることで、前記基地局へ伝送するように配置される請求項１又は２に記載の電子機器。
【請求項５】
前記スケジューリング補助情報は、さらに、前記ユーザ機器の地理位置情報、免許不要の伝送リソースにおける候補チャネルアイドル状況及び免許不要の伝送リソースにおける候補チャネルのチャネル品質のうちの少なくとも一つを含む請求項１又は２に記載の電子機器。
【請求項６】
前記電子機器はユーザ機器であり、前記一つ或いは複数のプロセッサは、さらに、前記ユーザ機器から前記基地局までの伝送リソースの可用性に基づいて、前記スケジューリング補助情報を伝送するための伝送リソースを選択するように配置されて、前記電子機器は、さらに、選択された伝送リソースによって前記スケジューリング補助情報を送信するように配置される送信機を含む請求項１又は２に記載の電子機器。
【請求項７】
無線通信用の電子機器が実行する無線通信用の方法であって、
伝送待ちのデータの通信品質要求情報と予め定められた低通信品質要求のパラメータとの対応関係によって伝送待ちの通信トラフィックのうちから特定される低優先度業務であって、アップリンク伝送に利用可能な低優先度業務のデータステータスを特定し、
前記低優先度業務のデータステータスに基づいて、ユーザ機器の免許不要の伝送リソースでの伝送に関する、基地局のスケジューラ用のスケジューリング補助情報を生成することを含み、
前記スケジューリング補助情報にはバッファーステータスレポートを含み、バッファーにおけるアップリンク伝送に利用可能な低優先度業務のデータ量を特定し、前記低優先度業務のデータ量の指示情報を前記バッファーステータスレポートに含ませて、前記基地局のスケジューラのために用いられ、
前記指示情報は、前記低優先度業務に関するバッファーサイズの情報だけを含み、高優先度の業務に関するバッファーサイズの情報を含まない方法。
【請求項８】
無線通信用の電子機器であって、
伝送待ちのデータの通信品質要求情報と予め定められた低通信品質要求のパラメータとの対応関係によって伝送待ちの通信トラフィックのうちから特定される低優先度業務であって、ユーザ機器からの低優先度業務に関するスケジューリング補助情報に基づいて免許不要の伝送リソースを割り当て、
免許不要の伝送リソースに関するスケジューリング割当て情報を生成して、前記ユーザ機器による伝送のために用いられるように配置される、一つ或いは複数のプロセッサを含み、
前記スケジューリング補助情報はバッファーステータスレポートを含み、前記一つ或いは複数のプロセッサは、前記バッファーステータスレポートを読み取り、前記ユーザ機器バッファーのうちアップリンク伝送に利用可能な低優先度業務のデータ量を特定し、前記データ量に応じて免許不要の伝送リソースを割り当てるように配置され、
前記バッファーステータスレポートに含まれるデータ量に対する指示情報は、前記低優先度業務に関するバッファーサイズの情報だけを含み、高優先度の業務に関するバッファーサイズの情報を含まない電子機器。
【請求項９】
無線通信用の電子機器が実行する無線通信用の方法であって、
伝送待ちのデータの通信品質要求情報と予め定められた低通信品質要求のパラメータとの対応関係によって伝送待ちの通信トラフィックのうちから特定される低優先度業務であって、ユーザ機器からの低優先度業務に関するスケジューリング補助情報に基づいて、免許不要の伝送リソースを割り当て、
免許不要の伝送リソースに関するスケジューリング割当て情報を生成して、前記ユーザ機器による伝送のために用いられることを含み、
前記スケジューリング補助情報はバッファーステータスレポートを含み、前記バッファーステータスレポートを読み取り、前記ユーザ機器バッファーのうちアップリンク伝送に利用可能な低優先度業務のデータ量を特定し、前記データ量に応じて免許不要の伝送リソースを割り当て、
前記バッファーステータスレポートに含まれるデータ量に対する指示情報は、前記低優先度業務に関するバッファーサイズの情報だけを含み、高優先度の業務に関するバッファーサイズの情報を含まない方法。
【請求項１０】
無線通信システム端末側用のデバイスであって、
前記デバイスの論理チャネルのバッファーにおける送信待ちの低優先度業務であって、伝送待ちのデータの通信品質要求情報と予め定められた低通信品質要求のパラメータとの対応関係によって伝送待ちの通信トラフィックのうちから特定される低優先度業務のデータ量を取得するように配置される取得手段と、
前記データ量に関する情報をバッファーステータスレポートに挿入するように配置される生成手段と、
前記バッファーステータスレポートを基地局に送信するように配置される送信手段とを含み、
前記データ量に関する情報は、前記低優先度業務に関するバッファーサイズの情報だけを含み、高優先度の業務に関するバッファーサイズの情報を含まないデバイス。
【請求項１１】
前記生成手段は、さらに、前記論理チャネルを識別する情報を前記バッファーステータスレポートに挿入するように配置される請求項１０に記載のデバイス。
【請求項１２】
前記論理チャネルは専用業務チャネルである請求項１０に記載のデバイス。
【請求項１３】
前記生成手段は、前記バッファーステータスレポートをベアリングする媒体アクセス制御パケットデータ手段の対応するサブヘッダにおいて、前記バッファーステータスレポートを指示するように配置される請求項１０〜１２のいずれか１つに記載のデバイス。
【請求項１４】
前記生成手段は、前記サブヘッダにおける論理チャネル識別子フィールドを利用して前記バッファーステータスレポートを指示するように配置される請求項１３に記載のデバイス。
【請求項１５】
前記生成手段は、前記低優先度業務に関するバッファーステータスレポートを媒体アクセス制御ＭＡＣ制御要素に含ませて、当該ＭＡＣ制御要素に対応するＭＡＣプロトコルデータ手段サブヘッダを生成するように配置され、当該サブヘッダは前記ＭＡＣ制御要素が低優先度業務に関するバッファーステータスレポートであることを指示するタイプ情報を含む請求項１０〜１２のいずれか１つに記載のデバイス。
【請求項１６】
前記デバイスは、免許不要帯域を利用している無線通信に用いられるように配置される請求項１０〜１２のいずれか１つに記載のデバイス。
【請求項１７】
前記送信手段は、
ａ．前記デバイスは、既に免許不要帯域でのアップリンクチャネルリソースを要求するためのリソース要求を送信する状況、
ｂ．対応するチャネルにおいて送信しようとする低優先度業務データがある状況、及び、
ｃ．タイミングに前記送信を行うためのタイマーが期限になる状況の一つをトリガ条件として前記送信を行うように配置される、請求項１０〜１２のいずれか１つに記載のデバイス。
【発明の詳細な説明】
【技術分野】
【０００１】
この出願は、２０１５年４月１７日に、中国特許庁に出願された出願番号が２０１５１０１８４６６３．８であり、発明の名称が「無線通信用の電子機器及び方法」である中国特許出願の優先権を主張するものであり、その全ての内容を引用してこの出願の一部とするものである。
【０００２】
本開示は、一般的に、無線通信領域に関して、より具体的には、無線通信用の電子機器及び方法を関する。
【背景技術】
【０００３】
ユーザの高速データ伝送に対するニーズが日々高まるにつれて、ロングタームエボリューション（ＬＴＥ）技術は、疑いもなく最も競争力がある無線伝送技術の一つになる。しかしながら、データ伝送のニーズが増え続けるにつれて、伝送帯域幅を増加すること及びスペクトル利用率を向上させることは、システムの全体性能を向上させるキーポイントになる。この背景下で、免許不要帯域の使用は、ますます多くの事業者によって重視され、それを従来のＬＴＥ免許バンドの補足として、ユーザのサービス品質を向上させる。従って、如何に免許不要帯域を使用して免許不要帯域における他のシステムと共存するかは、最初に解決すべき問題である。現在、業界では、免許不要のチャンネルは免許スペクトルの補助で使用される必要があり、キャリアアグリゲーションの方式によって端末にサービスを提供することに合意する。
【発明の概要】
【発明が解決しようとする課題】
【０００４】
端末は、伝送待ちのデータがある時、伝送リソースを要求するように、基地局ヘスケジューリング要求（ｓｃｈｅｄｕｌｉｎｇ  ｒｅｑｕｅｓｔ，ＳＲ）を送信する必要がある。その後、基地局は合理的に伝送リソースを割り当てるように、バッファーステータスレポート（ｂｕｆｆｅｒ  ｓｔａｔｕｓ  ｒｅｐｏｒｔ，ＢＳＲ）を送信して基地局端末側バッファーのデータ量を通知してもよい。しかしながら、免許不要帯域の伝送、例えば、免許補助アクセス（ＬＡＡ）に関する場面で、従来技術には、例えば、次のような問題がある。
（１）ＬＡＡが免許不要のスペクトルに対する使用は、非常にダイナミックなことである。公平性と他のシステムへの干渉を回避するために、ユーザはいつでもそのスペクトルの使用を中断される恐れがある。従って、ＬＡＡは通信品質に対する要求が高くない業務のみに適用され、リアルタイムと高い信頼性を要求する業務には適用しない。しかしながら、これらの情報は従来のＳＲの設計に含まれていない。
（２）バッファーステータス情報に加えて、基地局を補助してユーザに免許不要のスペクトルのリソースを割り当てることに策略を提供するための他の補助情報は、従来のＳＲ設計に考えられていない。
（３）ＬＡＡが独立して動作できるかどうか及びキャリアアグリゲーションの方式で免許スペクトルと一緒に動作するかどうかに応じて、そのＳＲのフローが違う。
【０００５】
以下、本発明に係る実施例を簡単に説明することで、本発明のある方面の基本的な理解を提供する。下記の概説が本発明に関する取り尽くし的概説ではないと理解すべきである。それは、本発明のキーポイント或いは重要部分を特定することも意図しておらず、本発明の範囲を限定することも意図していない。その目的は、単に簡略化した形式でいくつかの概念を与えて、それを次の議論のより詳しく説明の前言とする。
【課題を解決するための手段】
【０００６】
一つの実施例によれば、無線通信用の電子機器であって、アップリンク伝送に利用可能な低優先度業務のデータステータスを特定し、低優先度業務のデータステータスに基づいて基地局のスケジューラ用のスケジューリング補助情報を生成するように配置される一つ或いは複数のプロセッサを含み、スケジューリング補助情報はユーザ機器の免許不要の伝送リソースでの伝送に関する。
【０００７】
別の実施例によれば、無線通信用の方法であって、アップリンク伝送に利用可能な低優先度業務のデータステータスを特定し、低優先度業務のデータステータスに基づいて基地局のスケジューラ用のスケジューリング補助情報を生成し、スケジューリング補助情報はユーザ機器の免許不要の伝送リソースでの伝送に関する。
【０００８】
さらに別の実施例によれば、無線通信用の電子機器であって、ユーザ機器からの低優先度業務に関するスケジューリング補助情報に基づいて免許不要の伝送リソースを割り当て、免許不要の伝送リソースに関するスケジューリング割当て情報を生成してユーザ機器による伝送のために用いられるように配置される一つ或いは複数のプロセッサを含む。
【０００９】
別の実施例によれば、無線通信用の方法であって、ユーザ機器からの低優先度業務に関するスケジューリング補助情報に基づいて免許不要の伝送リソースを割り当てるステップと、免許不要の伝送リソースに関するスケジューリング割当て情報を生成してユーザ機器による伝送のために用いられるステップと、を含む。
【００１０】
さらに別の実施例によれば、無線通信システム端末側用のデバイスであって、取得手段と、生成手段と、送信手段とを含む。取得手段は、デバイスの論理チャネルのバッファーにおける送信待ちの低優先度業務のデータ量を取得するように配置される。生成手段は、データ量に関する情報をバッファーステータスレポートに挿入するように配置される。送信手段は、バッファーステータスレポートを基地局に送信するように配置される。
【００１１】
別の実施例によれば、端末側のデバイスに用いられる無線通信方法であって、デバイスの論理チャネルのバッファーにおける送信待ちの低優先度業務のデータ量を取得することと、データ量に関する情報をバッファーステータスレポートに挿入することと、バッファーステータスレポートを基地局に送信することとを含む。
【００１２】
さらに別の実施例によれば、無線通信システム基地局側用のデバイスは、受信手段とスケジューリング手段とを含む。受信手段は、端末側デバイスの論理チャネルで送信しようとする低優先度業務のデータ量に関する情報が挿入されているバッファーステータスレポートを受信するように配置される。スケジューリング手段は、データ量に関する情報に応じて端末側デバイスにアップリンク伝送リソースを割り当てるように配置される。
【００１３】
別の実施例によれば、基地局側のデバイスに用いられる無線通信方法であって、端末側デバイスの論理チャネルで送信しようとする低優先度業務のデータ量に関する情報が挿入されているバッファーステータスレポートを受信することと、データ量に関する情報に応じて端末側デバイスにアップリンク伝送リソースを割り当てることとを含む。
【図面の簡単な説明】
【００１４】
本発明は、以下で図面に組み合わせて提供された記述を参照してより明らかに理解される。ただし、全ての図面において同じ或いは類似した符号を使用して同じ或いは類似した部材を示す。前記の図面は次の詳しい説明とともに本明細書に含まれて、且つ本明細書の一部を形成する。そして、さらに例を挙げて本発明の好ましい実施例及び本発明の原理および利点を説明する。図面において、
【図１】本発明の一つの実施例による無線通信用の電子機器の配置例を示すブロック図である。
【図２】別の実施例による無線通信用の電子機器の配置例を示すブロック図である。
【図３】さらに別の実施例によるユーザ機器の配置例を示すブロック図である。
【図４】本発明の一つの実施例による無線通信用の方法の過程例を示すフローチャートである。
【図５】本発明の一つの実施例による無線通信用の電子機器の配置例を示すブロック図である。
【図６】別の実施例による無線通信用の電子機器の配置例を示すブロック図である。
【図７】さらに別の実施例による基地局の配置例を示すブロック図である。
【図８】本発明の一つの実施例による無線通信用の方法の過程例を示すフローチャートである。
【図９】本発明の一つの実施例による無線通信システム端末側のデバイス用の配置例を示すブロック図である。
【図１０】本発明の一つの実施例による端末側のデバイス用の無線通信方法の過程例を示すフローチャートである。
【図１１】本発明の一つの実施例による無線通信システム基地局側のデバイス用の配置例を示すブロック図である。
【図１２】本発明の一つの実施例による基地局側のデバイスの使用する無線通信方法の過程例を示すフローチャートである。
【図１３】本開示の方法及びデバイスを実現するコンピュータの例示的構成を示すブロック図である。
【図１４】本開示の内容による技術を適用できるスマートフォンの概略的配置の例を示すブロック図である。
【図１５】本開示の内容による技術を適用できるｅＮＢ（エボリューション型基地局）の概略的配置の例を示すブロック図である。
【図１６】従来技術による媒体アクセス制御パケットデータ手段の構成を示す。
【図１７】本発明の実施例に対応する媒体アクセス制御パケットデータ手段の例示構成を示す。
【図１８】従来技術によるアップリンク共有チャネル用の論理チャネル識別子のテーブルを示す。
【図１９】本発明の実施例に対応する論理チャネル識別子のテーブルの例を示す。
【図２０】一つの具体的な実施例によるＬＡＡ場面でのスケジューリング要求送信フローの例を示す。
【図２１】他の具体的な実施例によるＬＡＡ場面でのスケジューリング要求送信フローの別の例を示す。
【発明を実施するための形態】
【００１５】
以下、図面を参照して本発明の実施例を説明する。本発明の一つの図面或いは一つの実施形態に記述する要素及び特徴は、一つ或いはそれ以上の他の図面又は実施形態に示されている要素及び特徴と組み合わせることができる。なお、目的を明らかにするために、図面及び説明には、本発明と関係のない当業者に知られている部材及び処理の表現と記述について省略する。
【００１６】
図１に示すように、本発明の一つの実施例による無線通信用の電子機器１００は、一つ或いは複数のプロセッサ１１０を含む。プロセッサ１１０は、アップリンク伝送に利用可能な低優先度業務（ｔｒａｆｆｉｃ）のデータステータスを特定し、低優先度業務のデータステータスに基づいて基地局のスケジューラ用のスケジューリング補助情報を生成するように配置されており、当該スケジューリング補助情報はユーザ機器の免許不要の伝送リソースでの伝送に関する。
【００１７】
なお、説明の目的のために、図１には、点線のボックスで、プロセッサ１１０は特定手段１１１と生成手段１１３と含むことを示す。ここで、特定手段１１１は、アップリンク伝送に利用可能な低優先度業務のデータステータスを特定する機能に対応され、生成手段１１３は、低優先度業務のデータステータスに基づいて基地局のスケジューラ用のスケジューリング補助情報を生成する機能に対応される。しかしながら、特定手段１１１と生成手段１１３の機能は、プロセッサ１１０により一つの全体として実現されてもよく、必ずしもプロセッサ１１０における独立した実際の部材によって実現するものではないと理解すべきである。また、図面には個別のボックスでプロセッサ１１０を示したが、電子機器１００は複数のプロセッサを含んでもよく、そして、特定手段１１１と生成手段１１３に対応する機能を複数のプロセッサに配布できる。そこで、複数のプロセッサが連携してこれらの機能を実行する。これは、同様に、後の類似するブロック図を組み合わせて説明する他の実施例に適用される。
【００１８】
図１を参照し続けると、低優先度業務は、例えば、通信品質要求（ＱｏＳ）が低い業務を含む。例えば，低ＱｏＳ業務は、遅延許容範囲の高い業務、ビット誤り率許容範囲の高い業務、非コア内容に関する業務例えば広告データ等を含んでもよい。一つの具体的な例では、電子機器１００は、伝送待ちのデータの無線ベアラ（ｒａｄｉｏ  ｂｅａｒｅｒ）のＱｏＳ情報（例えば、ＱＣＩ、ＡＲＰ、ＧＢＲ及びＡＭＢＲ等のパラメータ）を特定し、ＱｏＳ情報と予定の低ＱｏＳのパラメータとの対応関係（例えば、ＱＣＩが指示するＱｏＳレベルは低ＱｏＳレベル範囲に入るかどうか）によって伝送待ちの業務のうちのどれらが低優先度業務であるかを判断する。例えば、無線ネットワーク事業者は、要求に応じて、自分でそのネットワークにおける予定の低ＱｏＳのパラメータを配置できる。異なる通信システムでは、異なるサービス品質要求パラメータによって業務優先度を評価する可能性があるが、以上ではＬＴＥ通信システムにおける場合のみを例としたことが理解される。
【００１９】
また、スケジューリング補助情報は、例えば、免許補助アクセススケジューリング要求（ＬＡＡ−ＳＲ）自身、バッファーステータスレポート（ｂｕｆｆｅｒ  ｓｔａｔｕｓ  ｒｅｐｏｒｔ，ＢＳＲ）、ユーザ機器の地理位置、免許不要の伝送リソースにおける候補チャネルアイドル状況、免許不要の伝送リソースにおける候補チャネルのチャネル品質等を含む。
【００２０】
基地局におけるスケジューラは、そのサービスするユーザ機器のために、伝送に利用可能なアップリンクリソースを特定して、例えば、どのユーザ機器がアップリンクリソース及びアップリンク時間−周波数リソース、例えばＬＴＥシステムにおける伝送層であるアップリンク共有チャネル（ＵＬ−ＳＣＨ）における利用可能なリソースブロック（ｒｅｓｏｕｒｃｅ  ｂｌｏｃｋｓ）又は具体的な成分キャリアを取得できるかを特定する。なお、基地局はさらにユーザ機器の伝送フォーマットの選択（伝送ブロックのサイズの選択、変調方式及びアンテナマッピング等）を制御できる。本発明のスケジューラは、例えばユーザ機器ごとにスケジューリングする。従来の通信プロトコルでは、一般的に、スケジューラはユーザ機器の大まかなスケジューリング要求（ＳＲ）及び／又はバッファーステータスレポートに基づいて完全に自分でアップリンクリソースをスケジューリングして、例えば、どのような成分キャリアをスケジューリングするかについて、ユーザ機器は具体的なリソースへの提案や要求を提出せず、ひいては、相関する情報さえも提供しない。
【００２１】
ＬＡＡでのアップリンク伝送リソース要求を実現するために、本発明の一つの例示方式にはＬＡＡリソースに対するスケジューリング要求ＬＡＡ−ＳＲを提供している。以下、具体的な例示過程に基づいて説明する。ＬＡＡセルにアップリンク伝送リソースが存在するか否かによって、ＬＡＡ−ＳＲの伝送対象はわずかに異なる。ＬＡＡセルと要求されたユーザ機器との間にアップリンク伝送が存在しない（例えば、ＬＡＡバンドにはＬＡＡ−ＳＲを伝送するためのリソースがない）と、ＬＡＡ−ＳＲの伝送対象はプライマリセル（プライマリコンポーネントキャリア（ＰＣＣ）に対応するセルは、例えば、免許バンドのマクロセル又はスモールセルでもよい）とし、ＬＡＡセルと要求されたユーザ機器との間にアップリンク伝送が存在する（例えば、ＬＡＡバンドには伝送ＬＡＡ−ＳＲを伝送するためのリソースがある）と、ＬＡＡ−ＳＲの伝送対象はＬＡＡセルである。本発明の一つの例では、ＬＡＡ−ＳＲは普通のＳＲと同じシグナリング構造を有し、例えば、いずれもＰＵＣＣＨによってベアリングしてプライマリセルヘ送信し、ＬＡＡ−ＳＲの直後に、ＢＳＲを送信する方式でこのＳＲはＬＡＡ−ＳＲであると明らかになることで、基地局はこのＳＲとＢＳＲを取得してリソースをスケジューリングするとき、優先的に相応するユーザ機器に免許不要帯域をスケジューリングして、例えば、ＬＡＡ成分キャリアを活性化してスケジューリングする。本発明の別の例では、基地局はユーザ機器に予め専用のＬＡＡ−ＳＲリソースを配置して（例えば、ＲＲＣシグナリングにおけるＳｃｈｅｄｕｌｉｎｇＲｅｑｕｅｓｔＣｏｎｆｉｇ配置）、基地局が相応するリソースで受信したＳＲは免許不要のリソースに対するスケジューリング要求であると見なす。本発明のさらに別の例では、基地局がＬＡＡバンドで受信したＳＲはいずれもＬＡＡバンドに対するリソーススケジューリング要求であると見なす。これによって、ユーザ機器は自発的に必要な具体的なリソースタイプを提案できる。
【００２２】
ＳＲは単に端末には伝送待ちのアップリンクデータがあることを示すだけで、どのくらいのリソースを割り当てるかについて、例えばＢＳＲにおけるバッファーデータ量によって決定する必要がある。従来の標準により規定されるＢＳＲは、同一の論理チャネル群（ｌｏｇｉｃａｌ  ｃｈａｎｎｅｌ  ｇｒｏｕｐ）に対応する全ての論理チャネルのデータの総量を報告する。前記のように、ＬＡＡの使用は非常にダイナミックであるので、それは非リアルタイムの業務（低ＱｏＳ業務）のほうにより適用する。これらの情報は従来のＢＳＲ設計に含まれない。
【００２３】
一つの実施例によれば、プロセッサ１１０（特定手段１１１）によって特定された低優先度業務のデータステータスはバッファーにおけるアップリンク伝送に利用可能な低優先度業務のデータ量を含んでもよい。そして、補助情報がＢＳＲを含む場合、プロセッサ１１０（生成手段１１３）は特定された低優先度業務のデータ量に対する指示情報をＢＳＲに含ませて基地局のスケジューラに用いられる。従来の方式におけるＢＳＲに含まれるデータ量に対する指示情報は異なり、本実施例による指示情報によれば、低優先度業務に関するバッファーサイズの情報だけを含み、高優先度の業務に関するバッファーサイズの情報を含まない。
【００２４】
また、プロセッサ１１０（生成手段１１３）は、さらに、低優先度業務が属する論理チャネル及び／又は論理チャネル群の識別情報をＢＳＲに含ませてよい。ここで、論理チャネルは、例えば専用業務チャネル（ＤＴＣＨ）を含む。
【００２５】
ＬＡＡリソーススケジューリングについて、最も重要なのは業務チャネルにおける対応する低優先度データの数量である。よって、本実施例は、相応する論理チャネル例えば専用業務チャネルＤＴＣＨにおける低ＱｏＳ（そのチャネル配置における優先度が低いことに対応する）のデータ量を反映するＢＳＲを提供する。例えば、当該ＢＳＲフォーマットは下記の通りである。
【００２６】
【表１】
0006729599.tif 000002
【００２７】
サブ論理チャネルＩＤ（ｓｕｂ−ＬＣＩＤ）（その長さは、例えば２ビット）は当該ＢＳＲに対応する論理チャネルを示す。免許不要帯域の通信リソースは不安定のため、通常業務データを伝送するために用いられる。従って、例えばＤＴＣＨのみに対するＢＳＲを設計することによってＢＳＲの複雑度を低下する。このような場合では、ｓｕｂ−ＬＣＩＤを設けなくてもよい。一方、ｓｕｂ−ＬＣＩＤを保留してもよく、保留する利点は、従来のＢＳＲ媒体アクセス制御制御要素（ＭＡＣ  ＣＥ）の構成との一致が維持できる。しかしながら、本発明はこれらに限定しておらず、例えばＢＳＲは他の必要な論理チャネル、例えば共通制御チャネル（ＣＣＣＨ）、専用制御チャネル（ＤＣＣＨ）等の制御チャネル、或いは標準進化またはＬＴＥ−Ａ以外の通信標準における他の業務チャネルに対するものであってもよい。
【００２８】
別の例では、上記サブ論理チャネルＩＤを従来技術における論理チャネル群ＩＤ（ＬＣＧ  ＩＤ）に替えてもよい。ＭＡＣ  ＣＥでは、全体のＬＣＧ  ＩＤに対応する論理チャネルの低優先度業務のバッファーサイズ情報であって、具体的な論理チャネルに限定されない。例えば、当該ＢＳＲフォーマットは下記の通りである。
【００２９】
【表２】
0006729599.tif 000003
【００３０】
上記に例示したＢＳＲフォーマットにおいて、６ビットでバッファーサイズを指示して、従来の標準と同じである。しかしながら、本発明はこれに限定しなくて、必要に応じてこれと異なるデータの長さを採用してバッファーサイズを指示してもよい。
【００３１】
なお、一つの実施例によれば、プロセッサ１１０（生成手段１１３）は低優先度業務に関するＢＳＲをＭＡＣ  ＣＥに含ませて、このＭＡＣ  ＣＥに対応するＭＡＣプロトコルデータ手段サブヘッダを生成し、このサブヘッダは当該ＭＡＣ  ＣＥが低優先度業務に関するＢＳＲであるように指示するタイプ情報を含んでもよい。
【００３２】
より具体的に、当該タイプ情報はサブヘッダにおける論理チャネル識別子によって指示され、且つ、対応する論理チャネル識別子のインデックス値は、バイナリ値である０１０１１から１１０００までの一つである。
【００３３】
なお、ある例では、従来のＢＳＲ用のＭＡＣプロトコルデータ手段サブヘッダを多重化できる。例えば、ＢＳＲとＳＲの伝送関係によって、当該ＭＡＣ  ＣＥは低優先度業務に関するＢＳＲであると判断する。例えば、ＳＲの直後にＢＳＲを送信する場合、当該ＢＳＲは低優先度業務に関すると特定できる。また例えば、ＭＡＣ  ＣＥのロードによって、当該ＭＡＣ  ＣＥは低優先度業務に関するＢＳＲであるか否かのタイプ情報をベアラする。具体的には、一般的に、低優先度業務のバッファーサイズは、伝統的な全ての業務のバッファーサイズより小さいので、例えば、５ビットのみでバッファーサイズを指示し、１ビットで専用に当該ＢＳＲはＬＡＡ用の低優先度業務ＢＳＲであるか否かを指示するように設計してもよい。
【００３４】
例えば、当該ＢＳＲフォーマットは下記の通りである。
【００３５】
【表３】
0006729599.tif 000004
【００３６】
また、一つの選択可能な方式によれば、ＵＥはＳＲを送信せず直接ＢＳＲを送信してもよい。基地局は、例えば、ＭＡＣパケットデータ手段（ＰＤＵ）サブヘッダ或いは上記の１ｂｉｔ指示ビットだけで、ＢＳＲが低優先度業務に関すると特定でき、ＢＳＲの送信は既にスケジューリングリソースを必要とする要求を暗に意味する。従って、基地局は直接ＢＳＲに基づいてリソースをスケジューリングしてもよい。
【００３７】
続いて、まず、図１６を参照して、従来の標準によるＭＡＣメッセージ（ＭＡＣ  ＰＤＵ）の構造を説明する。図１６に示すように、ＭＡＣメッセージはＭＡＣヘッドとＭＡＣペイロードを含む。なお、点線で示すように、ＭＡＣヘッドは複数のサブヘッダを含み、ＭＡＣペイロードは、ＭＡＣ  ＣＥ／ＭＡＣサービスデータ手段（ＳＤＵ）／パディングを含む。ＭＡＣヘッドの各サブヘッダは相応する位置のペイロードを指示する（例えば、図中の矢印で順次に示す）。
【００３８】
図１７には、一つの例示実施形態に対応するＭＡＣメッセージの例示構造を示す。ＬＡＡ  ＢＳＲのＭＡＣ  ＣＥに対応するサブヘッダの構造は、四つのフィールドのＲ／Ｒ／Ｅ／ＬＣＩＤ（Ｅ：複数のフィールドがあるか、例えば、次のセットのＲ／Ｒ／Ｅ／ＬＣＩＤがあるか、Ｒ：保留）を含む。ここで、主にＬＣＩＤ（伝統的な）でＬＡＡ  ＢＳＲのサブヘッダ（ＬＣＩＤはＭＡＣ  ＣＥのタイプを指示可能）を特定する。例えば、本発明において、ＬＡＡ  ＢＳＲのＭＡＣサブヘッダにおけるＬＣＩＤの値はバイナリ値の０１０１１−１１０００のうちの一つである（例えば、０１０１１であり、それはＵＥとＢＳのコンセンサスである）。０１０１１−１１０００はＬＣＩＤの保留ビットであるため、標準を変更せず、容易にＬＡＡ  ＢＳＲヘの指示を実現できる。また、図１７における矢印に示すように、ＭＡＣヘッドのサブヘッダは相応する位置のペイロードを指示する。
【００３９】
従って、図１８と図１９には、それぞれに従来の標準によるアップリンク共有チャネルのためのＬＣＩＤ値のリスト及び本発明の上記例示実施形態に対応するＬＣＩＤ値のリストを示す。対比して分かるように、本例示実施形態では、従来の標準における保留ビットにおける０１０１１で、ＭＡＣ  ＣＥがＬＡＡ  ＢＳＲに関することを指示し、０１１００でＭＡＣ  ＣＥがチャンネル可用性に関することを指示する。しかしながら、相応する論理チャネル識別子のインデックス値はバイナリ値の０１０１１〜１１０００のうちの他の値であってもよい。
【００４０】
また、上記ＢＳＲの送信タイミングについて、次のトリガ条件がある。
（１）ＬＡＡ−ＳＲを送信すれば、このＢＳＲを送信する。
（２）ＤＴＣＨに低ＱｏＳの送信待ちのデータが存在するとき、送信する。
（３）一つのＢＳＲを定時に送信するタイマーが切れるとき、このＢＳＲを送信する。このタイマーは従来の標準によるタイマーを多重化してもよく、再定義してもよい。
【００４１】
また、このＢＳＲの送信は、短いＢＳＲ、切断されたＢＳＲ、ひいては長いＢＳＲの形式で送信してもよい。
【００４２】
ＢＳＲの情報に加えて、ＬＡＡ−ＳＲの後、他の補助情報を送信してもよく、その後のＬＡＡリソース割り当てに決定根拠を提供する。これらの情報は、例えば、端末の地理位置情報、免許不要の例えば５Ｇバンドでの各候補チャンネルアイドル状況（端末は検出する必要があり、具体的な検出方法は従来技術に従ってよい）等を含んでもよい。なお、新しいＭＡＣ  ＣＥを定義して端末の地理位置情報を送信してもよい。
【００４３】
５Ｇバンドでの各候補チャンネルアイドル状況のＣＥのフォーマットは、例えば下記の通りである。
【００４４】
【表４】
0006729599.tif 000005
【００４５】
前の５ビットは監視している免許不要帯域のチャンネルＩＤを識別し、後の１ビットは当該チャネルが利用可能か否かを識別し、後の２ビットである保留は、他の情報、例えばチャネル品質等の情報を追加するために用いられる。
【００４６】
また例えば、予め免許不要帯域を８つ以下の免許不要のチャンネルに区分してもよく、例えば、各チャンネルは予め定められた周波数範囲に対応し、各候補チャンネルに並び順を設置することによって（ＵＥと基地局はコンセンサスを有する）、専門の指示チャンネルＩＤを必要としない。このように、各候補チャンネルアイドル状況を指示するＣＥのフォーマットは、例えば下記の通りである。
【００４７】
【表５】
0006729599.tif 000006
【００４８】
基地局側において、チャンネル可用性を指示するＭＡＣ  ＣＥによって免許不要帯域での各候補チャンネルのアイドル状況を判断し、アイドルのチャンネルに対応する伝送リソースからリソースをスケジューリングする。
【００４９】
ＬＡＡ  ＢＳＲ  ＭＡＣ  ＣＥのサブヘッダと類似して、このＣＥのサブヘッダの構造は四つのフィールドであるＲ／Ｒ／Ｅ／ＬＣＩＤを含み、ＬＣＩＤの値は０１０１１−１１０００のうちの一つである（ＬＡＡ  ＢＳＲ  ＭＡＣＣＥのＬＣＩＤの値と異なるものでなければならない）。
【００５０】
上記の例示実施形態において、ＭＡＣ  ＰＤＵにＬＡＡ  ＢＳＲを含む場合を記述したが、本発明の一つの例では、ＵＥが生成した一つのＭＡＣ  ＰＤＵに同時に伝統的なＢＳＲとＬＡＡ  ＢＳＲとを含んでもよい。それに応じて、基地局は、伝統的なＢＳＲとＬＡＡ  ＢＳＲによってリソーススケジューリング方式を総合的に特定することができる。
【００５１】
次に、図２を参照して、別の実施例による無線通信用の電子機器の配置例を説明する。
【００５２】
図２に示すように、電子機器２００は一つ或いは複数のプロセッサ２１０を含む。プロセッサ２１０は、以上で図１を参照して説明した機能を実行する（即ち、特定手段２１１と生成手段２１３は、特定手段１１１と生成手段１１３に類似する）ことに加えて、基地局のスケジューラのスケジューリング割当て情報（Ｓｃｈｅｄｕｌｉｎｇ  ａｓｓｉｇｎｍｅｎｔ  ｉｎｆｏｒｍａｔｉｏｎ）に基づいて低優先度業務のデータを相応する免許不要の伝送リソースにマッピングすることで、基地局へ伝送するように配置される。
【００５３】
なお、免許不要の伝送リソースは、例えば、無線ネットワーク（ｗｉｆｉ）バンド、テレビ（ＴＶ）バンドでの伝送リソースを含む。より具体的に、スケジューリング割当て情報によってデータをＰＵＳＣＨ（物理アップリンク共有チャネル）リソース（例えば，具体的なチャネル）、成分キャリア、時間−周波数リソースブロック、バンド及び有効期間等にマッピングする。
【００５４】
なお、一つの実施例による無線通信用の電子機器はユーザ機器本身であってもよい。図３に示すように、本実施例のユーザ機器３００は、一つ或いは複数のプロセッサ３１０及び送信機３２０を含む。
【００５５】
プロセッサ３１０は、以上で図１を参照して説明した機能を実行する（即ち、特定手段３１１と生成手段３１３は特定手段１１１と生成手段１１３に類似する）ことに加えて、ユーザ機器から基地局までの伝送リソースの可用性によってスケジューリング補助情報を伝送するための伝送リソースを選択する（選択手段３１５）ように配置される。例えば、免許バンドと免許不要帯域から当該伝送リソースを選択してもよく、或いは、物理アップリンク制御チャネル（ＰＵＣＣＨ）、物理アップリンク共有チャネル（ＰＵＳＣＨ）及びランダムアクセスチャネル（ＲＡＣＨ）から当該伝送リソースを選択してもよい。具体的には、例えば、ユーザ機器に既にデータ伝送リソース、例えばＰＵＳＣＨリソースを割り当てた場合には、データ伝送リソースによってスケジューリング補助情報、例えばＬＡＡに関するＢＳＲを携帯することを選択することが好ましい。例えば、ユーザ機器に制御情報伝送リソース例えばＰＵＣＣＨリソースのみを配置した場合には、制御情報伝送リソースによって例えばＬＡＡ−ＳＲのスケジューリング補助情報を携帯することを特定できる。ユーザ機器はデータ伝送リソースが取得されておらず、且つ、制御情報伝送リソースも配置されていない場合では、ランダムアクセスによって基地局のアップリンク伝送への免許及びリソースを取得し、例えばＲＡＣＨによってＬＡＡに関するスケジューリング補助情報を送信することを特定できる。
【００５６】
送信機３２０は、選択された伝送リソースによってスケジューリング補助情報を送信するように配置される。
【００５７】
以上で実施形態における無線通信用の電子機器を記述する過程において、明らかにいくつかの処理や方法が開示されている。以下、以上に記述した何らかの詳細を繰り返すことなく、本発明の一つの実施例による無線通信用の方法についての概要を説明する。
【００５８】
図４に示すように、本実施例の方法によれば、アップリンク伝送に利用可能な低優先度業務のデータステータスを特定するステップ（Ｓ４１０）と、低優先度業務のデータステータスに基づいて基地局のスケジューラ用のスケジューリング補助情報を生成するステップ（Ｓ４２０）とを含み、スケジューリング補助情報は、ユーザ機器の免許不要の伝送リソースでの伝送に関する。
【００５９】
以上で説明した実施例は、ユーザ機器側において基地局へ提供するスケジューリング補助情報を生成するために用いられる。また、本発明の実施例は、さらに、基地局側用のデバイス及び方法を含む。基地局側で行うダウンリンクデータ処理におけるある詳細は、ユーザ機器側における詳細と類似又は相応するので、以下の基地局側におけるデバイス及び方法についての実施例の記述では、上記で記述した何らかの詳細を省略し、これらの具体的な詳細は同様に基地局側で行う処理に適用できるように理解される。
【００６０】
図５に示すように、一つの実施例による無線通信用の電子機器５００は一つ或いは複数のプロセッサ５１０を含む。
【００６１】
プロセッサ５１０は、ユーザ機器からの低優先度業務に関するスケジューリング補助情報に基づいて免許不要の伝送リソースを割り当てるように配置される（割当手段５１１）。プロセッサ５１０は、さらに、免許不要の伝送リソースに関するスケジューリング割当て情報を生成することでユーザ機器による伝送のために用いられるように配置される（生成手段５１３）。
【００６２】
より具体的には、スケジューリング補助情報はＢＳＲを含んでもよい。プロセッサ５１０はそのＢＳＲを読み取り、ユーザ機器バッファーにおけるアップリンク伝送の低優先度業務のデータ量を特定し、且つデータ量によって免許不要の伝送リソースを割り当てる。
【００６３】
図６には別の実施例による無線通信用の電子機器を示す。電子機器６００は一つ或いは複数のプロセッサ６１０を含む。
【００６４】
プロセッサ６１０は、以上で図５を参照して説明した機能を実行する（即ち、割当手段６１１と生成手段６１３は割当手段５１１と生成手段５１３に類似する）ことに加えて、ユーザ機器からのＭＡＣプロトコルデータ手段を取得し、ＭＡＣプロトコルデータ手段のサブヘッダによってこのＭＡＣプロトコルデータ手段に低優先度業務に関するＢＳＲのＭＡＣ制御要素が含まれており、このＢＳＲを読み取るように配置される（取得手段６１５）。ここで、当該サブヘッダは、ＭＡＣ制御要素が低優先度業務に関するＢＳＲを有することを指示するタイプ情報を含む。
【００６５】
具体的には、取得手段６１５は、例えば、以上で図１７と図１９を参照して説明した例示方式に基づいてＢＳＲを読み取る。
【００６６】
一つの実施例によれば、無線通信用の電子機器は基地局である。図７に示すように、基地局７００は一つ或いは複数のプロセッサ７１０及び受信機７２０を含む。
【００６７】
プロセッサ７１０は、以上で図５を参照して説明した機能に類似する機能を実行する（即ち、割当手段７１１と生成手段７１３がそれぞれ割当手段５１１と生成手段５１３に類似する）ように配置される。
【００６８】
受信機７２０は、ユーザ機器或いは当該ユーザ機器にサービスする別の基地局からスケジューリング補助情報を受信するように配置される。
【００６９】
前記のように、ＬＡＡセルにアップリンク伝送が存在すると、ユーザ機器のＬＡＡ−ＳＲはＬＡＡセルに相応するアップリンク伝送リソースに対する要求を示す。このような場合、受信機７２０はユーザ機器からスケジューリング補助情報を受信してもよい。一方、ＬＡＡセルにアップリンク伝送が存在しないと、ユーザ機器のＬＡＡ−ＳＲの伝送対象はプライマリセルである。このような場合、受信機７２０はユーザ機器にサービスする別の基地局からスケジューリング補助情報を受信してもよい。キャリアアグリゲーションの場面で、前記のプライマリセルは例えばＰｃｅｌｌであり、ダブル接続の場面で、プライマリセルは例えばＰｃｅｌｌ又はＰＳｃｅｌｌである。
【００７０】
次に、図２０と図２１を参照して、上記の二つの場合での伝送過程例を説明する。
【００７１】
図２０に示すように、ＬＡＡセルはアップリンク伝送をサポートする場合では、ＵＥ側はＬＡＡのアップリンク伝送リソースを要求する必要があると、ＳＴ２００１では、ＵＥはＬＡＡのアップリンクリソースによってＳＲを送信する。
【００７２】
ＵＥ側は現在このＳＲ伝送のためのＰＵＣＣＨリソースがあるか或いは既にＳＲの上限に達したか否かによって、直接ＰＵＣＣＨによってこのＳＲを伝送するか、それとも新しいＲＡＣＨフローを開始するかを決定する（必要に応じて、ＳＴ２００３を行う）。
【００７３】
その後、ＳＴ２００５では、ＬＡＡ基地局はＵＥに対してＢＳＲのためのアップリンクを許可する。
【００７４】
次に、ＳＴ２００７では、ＵＥはＤＴＣＨにおける低ＱｏＳ業務を識別するＢＳＲを送信し、そしてＳＴ２００９では、他の補助情報、例えば地理位置情報等を送信する。
【００７５】
ＬＡＡ基地局側はこれらの情報を受信した後、ＬＡＡリソースの占用状況、ＵＥの低優先度、例えば非リアルタイム業務量のサイズ、及び地理位置等の情報によって得た干渉状況等によって、このＵＥにＬＡＡリソースを割り当てるか否かを決定する。伝送リソースを割り当てると決定すると、プライマリセル或いはＬＡＡセルによってリソース割り当て情報をＵＥに通知する（ＳＴ２０１１）。図２１に示すように、ＬＡＡセルがアップリンク伝送をサポートしない場合では、
ＳＴ２１０１−ＳＴ２１０７では、ＵＥ側はプライマリセルのアップリンクリソースによってＬＡＡ−ＳＲ、ＢＳＲ及び他の補助情報をプライマリセルの基地局に送信する。
【００７６】
プライマリセル基地局はこれらの情報を受信した後、ＬＡＡ基地局とプライマリセル基地局とが異なる物理位置にある（例えば、独立のスケジューラを有する）と、このＵＥのスケジューリング補助情報、例えばＬＡＡ  ＢＳＲを含むＸ２シグナリングを生成し、Ｘ２シグナリングによってこれらの情報をＬＡＡ基地局に転送する（ＳＴ２１０９）。
【００７７】
ＬＡＡ基地局はリソース割り当てを決定した後、二つの方式でＵＥに通知することができる。
【００７８】
方法１：リソース割り当ての決定をＸ２シグナリングによってプライマリセル基地局に通知した後（ＬＡＡ基地局とプライマリセル基地局とは異なる物理位置にある）（ＳＴ２１１１）、プライマリセルのダウンリンク制御チャネルによってＵＥに通知する（ＳＴ２１１３）。
【００７９】
方法２：ＬＡＡのダウンリンク制御チャネルによって直接ＵＥに通知する（ＳＴ２１１５）。
【００８０】
次に、以上で記述した何らかの詳細を繰り返すことなく、本発明の一つの実施例による基地局側用の無線通信方法の概要を説明する。
【００８１】
図８に示すように、本実施例による無線通信用の方法によれば、ユーザ機器からの低優先度業務に関するスケジューリング補助情報に基づいて免許不要の伝送リソースを割り当てるステップ（Ｓ８１０）と、免許不要の伝送リソースに関するスケジューリング割当て情報を生成することでユーザ機器による伝送のために用いられるステップ（Ｓ８２０）とを含む。
【００８２】
次に、図９乃至図１２を参照して、本発明の実施例による無線通信システム端末側用のデバイス及び方法、並びに、無線通信システム基地局側用のデバイス及び方法を説明する。なお、以上で説明した実施例における何らかの具体的な詳細は次の実施形態に適用される。
【００８３】
図９に示すように、一つの実施例による無線通信システム端末側用のデバイス９００は、取得手段９１０と、生成手段９２０と、送信手段９３０とを含む。各手段の機能について、プロセッサにより実現可能であるが、必ず独立した実際の部材で実現することに限定しない。また、各手段の機能を複数のプロセッサに配布することで、複数のプロセッサによって連携して実現される。デバイス９００は免許不要帯域を利用する無線通信に用いられることができる。
【００８４】
取得手段９１０は、デバイス９００の論理チャネルのバッファーにおける送信待ちの低優先度業務のデータ量を取得するように配置される。ここで、論理チャネルは専用業務チャネルであってもよい。
【００８５】
生成手段９２０は、そのデータ量の情報をＢＳＲに挿入するように配置される。
【００８６】
送信手段９３０は、そのＢＳＲを基地局に送信するように配置される。
【００８７】
一つの実施例によれば、生成手段９２０は、さらに、論理チャネルを識別する情報をＢＳＲに挿入するように配置される。
【００８８】
より具体的には、生成手段９２０は、ＢＳＲをベアリングする媒体アクセス制御パケットデータ手段（ＭＡＣ  ＰＤＵ）のうち相応するサブヘッダにおいて、このＢＳＲを指示するように配置される。例えば、サブヘッダにおける論理チャネル識別子（ＬＣＩＤ）フィールドを利用してそのＢＳＲを指示する。
【００８９】
また、生成手段９２０は、そのＢＳＲを指示するように、ＢＳＲをベアリングするＭＡＣ  ＰＤＵの制御要素（ＣＥ）に、特定のビットのフィールドを追加するように配置される。
【００９０】
なお、生成手段９２０は、低優先度業務に関するＢＳＲをＭＡＣ  ＣＥに含ませて、このＭＡＣ  ＣＥに対応するＭＡＣプロトコルデータ手段サブヘッダを生成して、このサブヘッダは当該ＭＡＣ制御要素が低優先度業務に関するＢＳＲであることを指示するタイプ情報を含むように配置される。
【００９１】
送信手段９３０は、予定のトリガ条件（例えば、以上で記述した若干のトリガ条件の一つ）でＢＳＲへの送信をトリガする。なお、送信手段９３０は他の情報、例えばデバイスの地理位置情報及び免許不要帯域での候補チャネルアイドル状況等を送信してもよい。
【００９２】
図１０に示すように、一つの実施例による端末側のデバイスに用いられる無線通信方法によれば、デバイスの論理チャネルのバッファーにおける送信待ちの低優先度業務のデータ量を取得するステップ（Ｓ１０１０）と、データ量に関する情報をＢＳＲに挿入するステップ（Ｓ１０２０）と、ＢＳＲを基地局に送信するステップ（Ｓ１０３０）とを含む。
【００９３】
図１１に示すように、一つの実施例による無線通信システム基地局側用のデバイス１１００は、受信手段１１１０と、スケジューリング手段１１２０とを含む。
【００９４】
受信手段１１１０は、端末側デバイスの論理チャネルで送信しようとする低優先度業務のデータ量に関する情報が挿入されているＢＳＲを受信するように配置される。なお、受信手段１１１０は、さらに、他の情報、例えば端末側デバイスの地理位置情報及び免許不要帯域での候補チャネルアイドル状況等を受信するように配置される。
【００９５】
スケジューリング手段１１２０は、データ量に関する情報に応じて端末側デバイスにアップリンク伝送リソースを割り当てるように配置される。スケジューリング手段１１２０は、例えば、ＢＳＲの受信に応答して端末側デバイスに免許不要帯域でのアップリンク伝送リソースを割り当ててもよい。なお、受信手段１１１０が他の情報を受信した場合、スケジューリング手段１１２０は、他の情報を使用して割り当ててもよい。
【００９６】
図１２に示すように、一つの実施例による基地局側のデバイス用の無線通信方法によれば、ＢＳＲを受信するステップ（Ｓ１２１０）を含み、ＢＳＲには、端末側デバイスの論理チャネルで送信しようとする低優先度業務のデータ量に関する情報が挿入されている。この方法は、さらに、データ量に関する情報に応じて、端末側デバイスにアップリンク伝送リソースを割り当てるステップ（Ｓ１２２０）を含む。
【００９７】
例示として、上記方法の各ステップ及び上記装置の各モジュール及び／又は手段は、ソフトウェア、ファームウェア、ハードウェア又はそれらの組み合わせとして実施される。ソフトウェア又はファームウェアにより実現する場合、記憶媒体又はネットワークから専用ハードウェア構造を有するコンピュータ（例えば、図１３に示すような汎用コンピュータ１３００）に上記方法を実施するためのソフトウェアを構成するプログラムをインストールし、このコンピュータは様々なプログラムがインストールされているとき、各機能等を実行することができる。
【００９８】
図１３には、演算処理手段（即ち、ＣＰＵ）１３０１は、読み出し専用メモリ（ＲＯＭ）１３０２に記憶されたプログラム、或いは、記憶部１３０８からランダムアクセスメモリ（ＲＡＭ）１３０３にロードしたプログラムによって様々な処理を実行する。ＲＡＭ１３０３には、必要に応じて、ＣＰＵ１３０１が様々な処理を実行すること等に必要になるデータも記憶する。ＣＰＵ１３０１、ＲＯＭ１３０２及びＲＡＭ１３０３は、バス１３０４を介して互いに接続される。入力／出力インタフェース１３０５もバス１３０４に接続する。
【００９９】
入力部１３０６（キーボード、マウス等を含む）、出力部１３０７（ディスプレー、例えば、ブラウン管（ＣＲＴ）、液晶ディスプレー（ＬＣＤ）等及びスピーカー等を含む）、記憶部１３０８（ハードディスク等を含む）、通信部１３０９（ＬＡＮカードのようなネットワークインターフェースカード、モデム等を含む）は、入力／出力インタフェース１３０５に接続される。通信部１３０９は、ネットワーク、例えばインターネットを介して通信処理を実行する。必要に応じて、ドライバ１３１０も入力／出力インタフェース１３０５に接続されてよい。リムーバブルメディア１３１１、例えば、ディスク、光ディスク、光磁気ディスク、半導体メモリ等は、必要に応じて、ドライバ１３１０にインストールされて、それから読み取るコンピュータプログラムは必要に応じて記憶部１３０８にインストールされるようにする。
【０１００】
ソフトウェアにより上記の一連の処理を実現する場合、ネットワーク例えばインターネット、又は、記憶媒体例えばリムーバブルメディア１３１１からソフトウェアを構成するプログラムをインストールする。
【０１０１】
当業者は、このような記憶媒体が図１３に示すようなその中にプログラムが記憶されている、デバイスと独立してユーザへ提供するプログラムを配布するリムーバブルメディア１３１１に限定されていないことが理解される。リムーバブルメディア１３１１の例として、ディスク（フロッピー（登録商標）を含む）、光ディスク（光ディスク読み出し専用メモリ（ＣＤ−ＲＯＭ）とデジタル多用途ディスク（ＤＶＤ）を含む）、光磁気ディスク（ミニディスク（ＭＤ）（登録商標）を含む）及び半導体メモリを含む。或いは、記憶媒体は、ＲＯＭ  １３０２、記憶部１３０８に含まれるハードディスク等であってもよく、その中にプログラムが記憶されており、そしてそれらを含むデバイスとともにユーザに配布される。
【０１０２】
本発明の実施例は、さらに、機器が読み取り可能な命令コードが記憶されているプログラム製品に関する。前記命令コードは機器により読み取り、実行するとき、上記の本発明の実施例による方法が実行される。
【０１０３】
それに応じて、上記の機器が読み取り可能な命令コードが記憶されているプログラム製品をベアリングするための記憶媒体も、本発明の開示に含まれる。前記記憶媒体は、フロッピー、光ディスク、光磁気ディスク、メモリカード、メモリスティック等を含むが、それらに限定されない。
【０１０４】
本願の実施例は、さらに、次の電子機器に関する。電子機器が基地局側に用いられる場合、電子機器は、任意の種類の進化型ノードＢ（ｅＮＢ）、例えば、マクロｅＮＢと小型ｅＮＢによって実現される。小型ｅＮＢは、マクロセルより小さいセルをカバーするｅＮＢ、例えば、ピコｅＮＢ、マイクロｅＮＢと、ファミリー（フェムト）ｅＮＢにしてよい。代わりに、電子機器は、任意の他の種類の基地局、例えば、ＮｏｄｅＢと、基地局トランシーバ（ＢＴＳ）によって実現される。電子機器は、無線通信を制御するように配置される主体（基地局装置と呼ばれることもある）と、主体と異なる場所に設置される一つ或いは複数のリモート無線ヘッド端（ＲＲＨ）を含む。また、以下で記述する様々なタイプの端末は、いずれも一時的または半永久的に基地局機能を実行することによって、基地局として動作する。また、基地局側の電子機器はｅＮＢ全体ではなく、処理チップであってもよい。
【０１０５】
電子機器はユーザ機器側に用いられる場合、モバイル端末（例えば、スマートフォン、タブレットパソコン（ＰＣ）、ノート式ＰＣ、携帯式ゲーム端末、携帯式／ドングル型のモバイルルータ及びデジタルイメージング装置）或いは車載端末（例えば、カーナビゲーション機器）によって実現される。なお、電子機器は上記端末ごとにインストールされた無線通信モジュール（例えば、単一または複数のウェーハの集積回路モジュールを含む）であってもよい。
【０１０６】
［端末機器に関する適用例］
図１４は本開示の内容による技術を適用できるスマートフォン２５００の概略的な配置の例を示すブロック図である。スマートフォン２５００はプロセッサ２５０１、メモリ２５０２、記憶装置２５０３、外部接続インタフェース２５０４、撮像装置２５０６、センサー２５０７、マイクロフォン２５０８、入力装置２５０９、表示装置２５１０、スピーカー２５１１、無線通信インターフェース２５１２、一つ或いは複数のアンテナスイッチ２５１５、一つ或いは複数のアンテナ２５１６、バス２５１７、バッテリー２５１８及び補助コントローラ２５１９を含む。
【０１０７】
プロセッサ２５０１は、例えばＣＰＵ又はオンチップシステム（ＳｏＣ）であり、スマートフォン２５００の応用層と他の層を制御する機能を有する。メモリ２５０２は、ＲＡＭとＲＯＭを含み、データとプロセッサ２５０１により実行されるプログラムを記憶する。記憶装置２５０３は記憶媒体、例えば半導体メモリとハードディスクを含む。外部接続インタフェース２５０４は外部装置（例えば、メモリカードとユニバーサルシリアルバス（ＵＳＢ）装置）をスマートフォン２５００に接続するインタフェースである。
【０１０８】
撮像装置２５０６はイメージセンサー（例えば、電荷結合素子（ＣＣＤ）と相補型金属酸化物半導体（ＣＭＯＳ））を含み、撮影された画像を生成する。センサー２５０７は例えば、測定センサーと、ジャイロセンサーと、地磁気センサーと、加速度センサーのような１組のセンサーを含んでもよい。マイクロフォン２５０８はスマートフォン２５００に入力された音をオーディオ信号に変換する。入力装置２５０９は、例えば表示装置２５１０のスクリーンにおけるタッチを検知するように配置されるタッチセンサー、テンキー、キーボード、ボタン又はスイッチを含み、ユーザから入力された操作又は情報を受信する。表示装置２５１０は、スクリーン（例えば、液晶ディスプレー（ＬＣＤ）及び有機発光ダイオード（ＯＬＥＤ）ディスプレー）を含み、スマートフォン２５００の出力画像を表示する。スピーカー２５１１はスマートフォン２５００から出力されたオーディオ信号を音に変換する。
【０１０９】
無線通信インターフェース２５１２は任意のセルラー通信方式（例えば、ＬＴＥとＬＴＥ−Ａｄｖａｎｃｅｄ）をサポートし、無線通信を実行する。無線通信インターフェース２５１２は、一般的に、例えばＢＢプロセッサ２５１３とＲＦ回路２５１４を含む。ＢＢプロセッサ２５１３は、例えば、エンコード／デコード、変調／復調及び多重化／逆多重化を実行してもよく、無線通信用の各種の信号処理を実行してもよい。同時に、ＲＦ回路２５１４は例えばミキサーと、フィルタと、増幅器とを含み、そしてアンテナ２５１６を介して無線信号を転送及び受信する。無線通信インターフェース２５１２はその上にＢＢプロセッサ２５１３とＲＦ回路２５１４とが集成してある一つのチップモジュールであってもよい。図１４に示すように、無線通信インターフェース２５１２は複数のＢＢプロセッサ２５１３と複数のＲＦ回路２５１４を含む。図１３には無線通信インターフェース２５１２は複数のＢＢプロセッサ２５１３と複数のＲＦ回路２５１４を含む例を示すが、無線通信インターフェース２５１２は単一のＢＢプロセッサ２５１３又は単一のＲＦ回路２５１４を含んでもよい。
【０１１０】
なお、セルラー通信方式以外に、無線通信インターフェース２５１２は他の種類の無線通信方式、例えば近距離無線通信方式、近接場通信方式及び無線ローカルエリアネットワーク（ＬＡＮ）方式をサポートしてもよい。この場合、無線通信インターフェース２５１２は各無線通信方式に対するＢＢプロセッサ２５１３とＲＦ回路２５１４を含む。
【０１１１】
アンテナスイッチ２５１５のそれぞれは無線通信インターフェース２５１２に含まれる複数の回路（例えば、異なる無線通信方式のための回路）の間でアンテナ２５１６の接続先を切り替える。
【０１１２】
アンテナ２５１６のそれぞれは、いずれも単一又は複数のアンテナ素子を含み（例えば、ＭＩＭＯアンテナのうちの複数のアンテナ素子を含み）、無線通信インターフェース２５１２は無線信号を転送及び受信することに用いられる。図１４に示すように、スマートフォン２５００は複数のアンテナ２５１６を含んでよい。図１４にはスマートフォン２５００は複数のアンテナ２５１６を含む例を示すが、スマートフォン２５００は単一のアンテナ２５１６を含んでもよい。
【０１１３】
なお、スマートフォン２５００は各無線通信方式に対するアンテナ２５１６を含んでよい。この場合、アンテナスイッチ２５１５は、スマートフォン２５００の配置から省略されてもよい。
【０１１４】
バス２５１７は、プロセッサ２５０１、メモリ２５０２、記憶装置２５０３、外部接続インタフェース２５０４、撮像装置２５０６、センサー２５０７、マイクロフォン２５０８、入力装置２５０９、表示装置２５１０、スピーカー２５１１、無線通信インターフェース２５１２及び補助コントローラ２５１９を互いに接続させる。バッテリー２５１８はフィードラインを介して図１４に示すスマートフォン２５００の各ブロックに電力を提供し、フィードラインは図において部分的に点線で示す。補助コントローラ２５１９は、例えばスリープモードでスマートフォン２５００の最低限必要な機能を操作させる。
【０１１５】
図１４に示すスマートフォン２５００において、図３を参照して記述した送信機３２０及び図９を参照して記述した送信手段９３０は、無線通信インターフェース２５１２により実現される。図１〜図３、図９を参照して記述したプロセッサ及び各手段の機能の少なくとも一部は、プロセッサ２５０１或いは補助コントローラ２５１９により実現される。例えば、補助コントローラ２５１９によってプロセッサ２５０１の部分機能を実行することでバッテリー２５１８の消費電力を低減する。なお、プロセッサ２５０１或いは補助コントローラ２５１９は、メモリ２５０２或いは記憶装置２５０３に記憶されているプログラムを実行することで、図１〜図３、図９を参照して記述したプロセッサ及び各手段の機能の少なくとも一部を実行してもよい。
【０１１６】
［基地局に関する適用例］
図１５は本開示の内容による技術を適用できるｅＮＢの概略的な配置例を示すブロック図である。ｅＮＢ２３００は一つ或いは複数のアンテナ２３１０及び基地局装置２３２０を含む。基地局装置２３２０と各アンテナ２３１０は、ＲＦ（無線周波数）ケーブルを介して互いに接続される。
【０１１７】
アンテナ２３１０のそれぞれは、いずれも単一或いは複数のアンテナ素子を含み（例えば、多入力多出力（ＭＩＭＯ）アンテナのうちの複数のアンテナ素子を含み）、基地局装置２３２０は無線信号を送信及び受信することに用いられる。図１５に示すように、ｅＮＢ２３００は複数のアンテナ２３１０を含んでもよい。例えば、複数のアンテナ２３１０はｅＮＢ  ２３００に用いられる複数の周波数帯域と兼ねる。図１５にはｅＮＢ２３００が複数のアンテナ２３１０を含む例を示すが、ｅＮＢ  ２３００は単一のアンテナ２３１０を含んでもよい。
【０１１８】
基地局装置２３２０はコントローラ２３２１、メモリ２３２２、ネットワークインターフェース２３２３及び無線通信インターフェース２３２５を含む。
【０１１９】
コントローラ２３２１は、例えばＣＰＵ又はＤＳＰであって、基地局装置２３２０の高い層の各種の機能を操作する。例えば、コントローラ２３２１は無線通信インターフェース２３２５により処理された信号におけるデータによってデータパケットを生成し、ネットワークインターフェース２３２３を介して生成されたパケットを転送する。コントローラ２３２１は複数のベースバンドプロセッサからのデータに対してバンドルを行い、バンドルパケットを生成し、生成されたバンドルパケットを転送する。コントローラ２３２１は次の制御を実行するロジック機能を有する。その制御は、例えば、無線リソース制御、無線ベアラ制御、モビリティ管理、アドミッション制御及びスケジューリングである。その制御は近くのｅＮＢ又はコアネットワークノードと連携して実行してもよい。メモリ２３２２は、ＲＡＭとＲＯＭを含み、コントローラ２３２１により実行されるプログラム及び各種の制御データ（例えば、端末リスト、送信電力データ及びスケジューリングデータ）を記憶する。
【０１２０】
ネットワークインターフェース２３２３は基地局装置２３２０をコアネットワーク２３２４に接続する通信インターフェースである。コントローラ２３２１はネットワークインターフェース２３２３を介してコアネットワークノード又は他のｅＮＢと通信する。この場合、ｅＮＢ２３００とコアネットワークノード又は他のｅＮＢは論理インターフェース（例えば、Ｓ１インターフェース及びＸ２インターフェース）によって互いに接続される。ネットワークインターフェース２３２３は、有線通信インターフェース又は無線バックホールラインのための無線通信インターフェースであってもよい。ネットワークインターフェース２３２３は無線通信インターフェースである場合、無線通信インターフェース２３２５に用いられる周波数帯域に比べて、ネットワークインターフェース２３２３は高い周波数帯域を無線通信に使用してもよい。
【０１２１】
無線通信インターフェース２３２５は任意のセルラー通信方式（例えば、ロングタームエボリューション（ＬＴＥ）とＬＴＥ−Ａｄｖａｎｃｅｄ）をサポートし、アンテナ２３１０を介してｅＮＢ２３００のセルに位置する端末への無線接続を提供する。一般的に、無線通信インターフェース２３２５は例えばベースバンド（ＢＢ）プロセッサ２３２６とＲＦ回路２３２７を含む。ＢＢプロセッサ２３２６は、例えばエンコード／デコード、変調／復調及び多重化／逆多重化を実行し、層（例えば、Ｌ１、媒体アクセス制御（ＭＡＣ）、無線リンク制御（ＲＬＣ）及びパケットデータコンバージェンスプロトコル（ＰＤＣＰ））の各種の信号処理を実行する。コントローラ２３２１に代えて、ＢＢプロセッサ２３２６は上記ロジック機能の一部又は全てを含んでよい。ＢＢプロセッサ２３２６は通信制御プログラムを記憶するメモリであってもよく、プログラムを実行するように配置されるプロセッサと関連する回路を含むモジュールであってもよい。更新プログラムはＢＢプロセッサ２３２６の機能を変更させることができる。当該モジュールは、基地局装置２３２０のスロットに挿入されるカード又はブレードであってもよい。代わりに、当該モジュールは、カード又はブレードにインストールされるチップであってもよい。同時に、ＲＦ回路２３２７は、例えばミキサー、フィルタ及び増幅器を含み、アンテナ２３１０を介して無線信号を転送及び受信する。
【０１２２】
図１５に示すように、無線通信インターフェース２３２５は複数のＢＢプロセッサ２３２６を含む。例えば、複数のＢＢプロセッサ２３２６はｅＮＢ２３００に用いられる複数の周波数帯域と兼ねてもよい。図１５に示すように、無線通信インターフェース２３２５は複数のＲＦ回路２３２７を含んでもよい。例えば、複数のＲＦ回路２３２７は複数のアンテナ素子と兼ねてもよい。図１５には無線通信インターフェース２３２５が複数のＢＢプロセッサ２３２６と複数のＲＦ回路２３２７とを含む例を示すが、無線通信インターフェース２３２５は単一のＢＢプロセッサ２３２６又は単一のＲＦ回路２３２７を含んでもよい。
【０１２３】
図１５に示すｅＮＢ２３００において、図７を参照して記述した送受信機７２０と図１１を参照して記述した受信手段１１１０は、無線通信インターフェース２３２５により実現されてもよい。図５〜図７、図１１を参照して記述したプロセッサ及び各手段の機能の少なくとも一部は、コントローラ２３２１により実現されてもよい。例えば、コントローラ２３２１は、メモリ２３２２に記憶するプログラムを実行することで図５〜図７、図１１を参照して記述したプロセッサと各手段の機能の少なくとも一部を実行してもよい。
【０１２４】
以上で本発明の具体的な実施例に対する記述では、実施形態への記述及び／又は示した特徴は、同じ或いは類似する方式で一つ或いは複数の他の実施形態に使用されて、他の実施形態における特徴と組み合わせたり、他の実施形態における特徴を替えたりすることができる。
【０１２５】
なお、用語「備える／含む」は、本明細書で使用される場合、特徴、要素、ステップ或いは構成要素の存在を指すが、一つ或いはそれ以上の他の特徴、要素、ステップ或いは構成要素の存在又は付加を排除しない。
【０１２６】
上記の実施例と例示では、数字からなる符号で各ステップ及び／又は手段を示す。当業者は、これらの符号は、単に記述及び描画の便利のために使用されており、その順序又はその他の限定を示すのではないと理解されるべきである。
【０１２７】
なお、本発明の方法は明細書に記述した時間順序に応じて実行することに限定されず、他の時間順序に応じて、並列的あるいは個別に実行される。従って、本明細書に記述した方法の実行順序は、本発明の技術的範囲を制限しない。
【０１２８】
以上で既に本発明の具体的な実施例についての記述によって本発明を開示したが、上記全ての実施例と例は、いずれも示例性のもので、制限性のものではないことが理解される。当業者は、添付の特許請求の精神と範囲で、本発明への様々な修改、改善又は均等物を設計できる。これらの修改、改善又は均等物は本発明の保護範囲内に含まれると見なす。
【図１】
0006729599.tif 000007
【図２】
0006729599.tif 000008
【図３】
0006729599.tif 000009
【図４】
0006729599.tif 000010
【図５】
0006729599.tif 000011
【図６】
0006729599.tif 000012
【図７】
0006729599.tif 000013
【図８】
0006729599.tif 000014
【図９】
0006729599.tif 000015
【図１０】
0006729599.tif 000016
【図１１】
0006729599.tif 000017
【図１２】
0006729599.tif 000018
【図１３】
0006729599.tif 000019
【図１４】
0006729599.tif 000020
【図１５】
0006729599.tif 000021
【図１６】
0006729599.tif 000022
【図１７】
0006729599.tif 000023
【図１８】
0006729599.tif 000024
【図１９】
0006729599.tif 000025
【図２０】
0006729599.tif 000026
【図２１】
0006729599.tif 000027